(57)【特許請求の範囲】
【請求項１】
表示デバイスを保持した表示デバイスホルダと、この表示デバイスホルダが取り付けられる板部材と、表示デバイスの画面エリアを外部に臨ませる表示窓を有し前記表示デバイスホルダを覆うように配置される意匠カバーとを備えた表示デバイス付き機器において、
前記表示デバイスホルダは、前記板部材に形成された係合穴に遊嵌して係合する複数の係合爪と、前記板部材に押し付けられて表示デバイスホルダを板部材から離反方向に弾性付勢する弾性部材とを有し、
前記意匠カバーは、所定位置に取り付けられた状態で、前記表示デバイスホルダに形成された位置決め用被係合部に係合する位置決め用係合部を有し、
前記係合爪が前記係合孔に係合した状態で、前記弾性部材の付勢力により、前記表示デバイスホルダが前記板部材に仮止め状態可能に構成され、
前記意匠カバーの取付に際する押込により、前記各係合爪による前記各係合孔への係合が解除されて、前記位置決め用係合部が前記位置決め用被係合部に係合すると共に、前記表示デバイスホルダが前記弾性部材の弾性復元力により前記意匠カバーと前記板部材との間に弾性保持されたことを特徴とする表示デバイス付き機器の表示デバイス設置構造。
【請求項２】
前記板部材は、前記意匠カバーに形成された位置決めピンを係合させる係合穴を有する請求項１に記載の表示デバイス付き機器の表示デバイス設置構造。
【請求項３】
前記表示デバイスホルダの位置決め用被係合部は係合穴であり、前記意匠カバーの位置決め用係合部は前記係合穴に係合するテーパピンである請求項１または請求項２に記載の表示デバイス付き機器の表示デバイス設置構造。
【請求項４】
前記表示デバイスホルダの位置決め用被係合部はテーパ状の係合凹部であり、前記意匠カバーの位置決め用係合部は前記係合凹部に当接可能に係合する係合突部である請求項１または請求項２に記載の表示デバイス付き機器の表示デバイス設置構造。
【請求項５】
前記機器がプリンタである請求項１ないし請求項４のいずれかに記載の表示デバイス付き機器の表示デバイス設置構造。
【発明の詳細な説明】
【０００１】
【発明の属する技術分野】
この発明は、プリンタ等の表示デバイス付き機器の表示デバイス設置構造に関する。
【０００２】
【従来の技術】
従来の表示デバイス付きプリンタでは、図７および図８に示す構造により表示デバイスが設置されている。すなわち、図７（Ａ）のように、表示デバイス３２を表示デバイスホルダ３１にセットしてから、この表示デバイスホルダ３１の係合爪３３をプリンタ機体側の固定板金あるいは基板３７の係合スリット３５に差し込み、差し込んだ係合爪３３を基板３７の裏面側で図７（Ｂ）のように折り曲げたり、あるいはビスなどで締結するなどして、基板３７に表示デバイスホルダ３１が位置決め・固定されている。表示デバイスホルダ３１の固定された基板３７は、図８に示すようにプリンタ製造の最終工程でプリンタ機体に取り付けられる意匠カバー３８によって覆われる。意匠カバー３８の表示パネル４０には表示窓４２が設けられており、この表示窓４２から前記表示デバイス３２の画面エリアが外部に臨むようにされている。
【０００３】
【発明が解決しようとする課題】
しかし、このような表示デバイスの設置構造では、表示デバイスホルダ３１の基板３７への取り付けが、後での位置調整ができない余裕度のない構造であるため、最終的に意匠カバー３８をプリンタ機体に取り付けるとき、組立誤差などが原因となって、外観不良を起こすという問題があった。例えば、図９に示すように、意匠カバー３８の表示窓４２と、表示デバイス３２の画面エリア４３とが位置ずれしてしまうと、外観不良を起こすことがある。
【０００４】
この発明は、このような課題を解消し、意匠カバーと、表示デバイスとの位置合わせを容易に行うことのできる表示デバイス付き機器の表示デバイス設置構造を提供することを目的とする。
【０００５】
【課題を解決するための手段】
請求項１にかかる発明の表示デバイス付き機器の表示デバイス設置構造は、表示デバイスを保持した表示デバイスホルダと、この表示デバイスホルダが取り付けられる板部材と、表示デバイスの画面エリアを外部に臨ませる表示窓を有し前記表示デバイスホルダを覆うように配置される意匠カバーとを備えた表示デバイス付き機器において、前記表示デバイスホルダは、前記板部材に形成された係合穴に遊嵌して係合する複数の係合爪と、前記板部材に押し付けられて表示デバイスホルダを板部材から離反方向に弾性付勢する弾性部材とを有し、前記意匠カバーは、所定位置に取り付けられた状態で、前記表示デバイスホルダに形成された位置決め用被係合部に係合する位置決め用係合部を有し、前記係合爪が前記係合孔に係合した状態で、前記弾性部材の付勢力により、前記表示デバイスホルダが前記板部材に仮止め状態可能に構成され、前記意匠カバーの取付に際する押込により、前記各係合爪による前記各係合孔への係合が解除されて、前記位置決め用係合部が前記位置決め用被係合部に係合すると共に、前記表示デバイスホルダが前記弾性部材の弾性復元力により前記意匠カバーと前記板部材との間に弾性保持された構成としている。
【０００６】
請求項２にかかる発明は、請求項１の表示デバイス付き機器の表示デバイス設置構造において、前記板部材が、前記意匠カバーに形成された取付ピンを係合させる係合穴を有するものとしている。
【０００７】
請求項３にかかる発明は、請求項１または請求項２の表示デバイス付き機器の表示デバイス設置構造において、前記表示デバイスホルダの位置決め用被係合部を係合穴とし、前記意匠カバーの位置決め用係合部を前記係合穴に係合するテーパピンとしている。
【０００８】
請求項４にかかる発明は、請求項１または請求項２の表示デバイス付き機器の表示デバイス設置構造において、前記表示デバイスホルダの位置決め用被係合部をテーパ状の係合凹部とし、前記意匠カバーの位置決め用係合部を前記係合凹部に係合する係合突部としている。
【０００９】
請求項５にかかる発明は、請求項１ないし請求項４のいずれかの表示デバイス付き機器の表示デバイス設置構造において、前記機器がプリンタである。
【００１０】
【発明の実施の形態】
以下、この発明をその実施の形態を示す図面に基づいて具体的に説明する。
【００１１】
実施の形態１．
図１はこの発明の実施の形態１による表示デバイス設置構造を用いた表示デバイス付きプリンタにおける表示デバイスホルダを示す図面であり、図１（Ａ）はその上面側から見た斜視図を、図１（Ｂ）はその裏面側から見た斜視図をそれぞれ示す。また、図２（Ａ）〜（Ｃ）は、前記表示デバイスホルダ１の背面図、平面図および右側面図を示す。
【００１２】
この表示デバイスホルダ１は、その上面側に表示デバイス２をセット可能な平面視概形略方形状の箱状体であり、その裏面側の互いに対向する２側辺には、下向きに延びる一対の係合爪３，３が形成されている。係合爪３は、前記各側辺から表示デバイス２の裏面方向に向けて延びる延設係合片３ａと該延設係合片３ａに突出形成された係合突部３ｂとを備えている。
【００１３】
また、表示デバイスホルダ１の裏面の前記係合爪３が形成される各側辺部には、各側辺に沿って延びる各１対の弾性部材４，４が、係合爪３を挟む各位置に形成されている。これら弾性部材４は、表示デバイスホルダ１の裏面部材である板材を略Ｕ字状に切り起こした弾性片４ａと、この弾性片４ａの自由端に設けた突部４ｂとで構成される。突部４ｂは、表示デバイスホルダ１の裏面よりも突出している。
【００１４】
また、表示デバイスホルダ１の外郭周辺部には位置決め用被係合部として一対の係合穴５，５が形成されている。これら係合穴５は、後述する意匠カバー８の位置決め用係合部であるテーパピン１１が係合する穴である。
【００１５】
さらに、表示デバイスホルダ１の表面における表示デバイス２の周辺には、複数の意匠カバー当たり部６が形成されている。これら意匠カバー当たり部６は、表示デバイス２の上方に配置される意匠カバー８の裏面に当接して、表示デバイス２と意匠カバー８との間に所定の隙間を確保するものである。
【００１６】
図５（Ａ）は、プリンタ機体の表示デバイスホルダ取付用板部材である取付基板７に前記表示デバイスホルダ１を取り付け、さらに表示デバイスホルダ１の上方を意匠カバー８で覆った組立状態を示す要部拡大断面図である。
【００１７】
取付基板７には、表示デバイスホルダ１の係合爪３が遊嵌状態に貫通して取付基板７の裏面側に係合可能な係合穴９が、係合爪３に対応させて１対形成されている。係合穴９の開口形状は、係合爪３の延設係合片３ａの横断面（延設係合片３ａの突出方向に直交する断面）形状よりも大きくなっている。そして、係合爪３を各係合穴９に差込むと、係合爪３の係合突部３ｂが係合穴９の周縁部で基板７に係合可能な状態となる。この状態で、延設係合片３ａが係合穴９内において若干の幅で遊動可能な状態となっている。
【００１８】
意匠カバー８は、表示デバイスホルダ１に対向する部分が透明部材からなる表示パネル１０とされており、裏面には、表示デバイスホルダ１の位置決め用係合部である係合穴５に係合する位置決め用係合部として先細り状のテーパピン１１が、係合穴５に対応させて１対突設されている。表示パネル１０の一部領域は、前記表示デバイス２の画面エリアを外部に臨ませる表示窓１２とされている。さらに、意匠カバー８の裏面には、意匠カバー８をプリンタ機体に位置決めする複数の位置決めピン１３が突設されている。この位置決めピン１３は、下端部を段付きの先細り状のテーパ部１３ａとしたものであり、この位置決めピン１３を係合させる係合穴１４が前記取付基板７に形成されている。
【００１９】
次に、この実施の形態１における表示デバイス２の設置手順を、図３〜図５を参照して説明する。なお、図３〜図５では、理解が容易となるように、表示デバイスホルダ１における弾性部材４を誇張して実際の寸法よりも大きく表示している。
【００２０】
まず、表示デバイス２をセットした表示デバイスホルダ１の係合爪３を図１のように取付基板７の対応する係合穴９に差し込む。このとき、図４のように取付基板７の表面に押し付けられてたわみ変形する弾性部材４の復元力により、表示デバイスホルダ１は取付基板７から離反する方向に付勢される。このため、係合爪３の係合突部３ｂが取付基板７の裏面に係合して、表示デバイスホルダ１は取付基板７に仮止め状態となる。また、取付基板７の係合穴９に対して係合爪３の延設係合片３ａは遊嵌状態にあるので、この仮止め状態において、表示デバイスホルダ１は取付基板７の表面に沿う方向に移動する若干の余裕がある。また、表示デバイスホルダ１は弾性部材４を介して取付基板７に押し当てられた状態にあるので、表示デバイスホルダ１の姿勢（取付基板７との距離）も調整の余裕がある。
【００２１】
この仮止め状態のもとに、図５のように意匠カバー８の位置決めピン１３を取付基板７の係合穴１４に係合させると共に、意匠カバー８のテーパピン１１も表示デバイスホルダ１の係合穴５に係合させるようにして、意匠カバー８を取付ける。
【００２２】
この際、位置決めピン１３の下端部は先細りとなる段付きテーパ部１３ａとされているので、多少の組立誤差があっても、取付基板７の係合穴１４に位置決めピン１３を確実に挿入できる。
【００２３】
そして、意匠カバー８を押込んでいくと、意匠カバー８の裏面が意匠カバー当たり部６に当接する。これにより、表示デバイスホルダ１が取付基板７に向けて押込まれ、係合爪３の係合突部３ｂが取付基板７の裏面から離れて係合爪３による係合状態が解除されると共に、弾性部材４がさらにたわむ。
【００２４】
この際、テーパピン１１が係合穴５に係合するものであり、しかも表示デバイスホルダ１も位置調整可能に取付基板７に仮止めされているので、意匠カバー８に対して表示デバイスホルダ１の位置が多少ずれていても、前記係合により表示デバイスホルダ１は意匠カバー８に対して自動的に位置調整される。これにより、表示デバイスホルダ１にセットされた表示デバイス２の画面エリアは、意匠カバー８における表示パネル１０の表示窓１２に正しく位置合わせされる。
【００２５】
最後に、段付きテーパ部１３ａの段部が取付基板７の表面に当接する位置まで、意匠カバー８を押込んだ状態で、該意匠カバー８は図示省略のプリンタの筐体に固定される。
【００２６】
この状態では、表示デバイスホルダ１は、弾性部材４の弾性復元力により、意匠カバー８と取付基板７との間に弾性保持されて所定位置に保持された状態となる。
【００２７】
この際、段付きテーパ部１３ａの段部が取付基板７の表面に当接する所定高さに意匠カバー８が設置されるので、意匠カバー８が正しく位置決めされる。
【００２８】
従って、この表示デバイス設置構造によると、意匠カバー８と表示デバイス２との位置合わせを容易に行うことができる。
【００２９】
特に、表示デバイスホルダ１の位置決め用被係合部を係合穴５とし、これに係合する意匠カバー８の位置決め用係合部をテーパピン１１としているので、意匠カバー８の組付け時に表示デバイスホルダ１と意匠カバー８との間に多少の位置ずれがあっても、係合穴５に対するテーパピン１１のガイド作用により表示デバイスホルダ１を位置ずれのない適正な位置に自動調整できる。
【００３０】
なお、意匠カバー８の位置決めピン１３を係合させる係合穴１４は、プリンタ機体の取付基板７以外の部材に形成してもよいが、この実施の形態１のように表示デバイスホルダ１が取り付けられる取付基板７に前記係合穴１４を形成することにより、取付基板７と意匠カバー８の間の組立誤差を小さくすることができ、それだけ意匠カバー８の表示窓１２と表示デバイス２の画面エリアとの位置合わせを容易に行うことができる。
【００３１】
また、上記組立後状態で、弾性部材４がそのたわみ強度以上にたわんでしまわないように、テーパ部１３ａの段部と取付基板７の表面との当接位置や意匠カバー８の裏面と意匠カバー当たり部６との当接位置を考慮する必要がある。また、弾性部材４の突部４ｂと意匠カバー当たり部６とはそれぞれ点接触可能な形状でかつそれらをなるべく離して配置した方が姿勢が安定する。さらに、表示デバイスホルダ１の本体部分の剛性は、弾性部材４の剛性と比較して十分な強度を持たせておく必要がある。
【００３２】
実施の形態２．
図６はこの発明の実施の形態２による表示デバイス設置構造の要部拡大断面図を示す。
【００３３】
この表示デバイス設置構造では、図１〜図５で示した実施の形態１における弾性部材４に代えて、表示デバイスホルダ１Ｂの弾性部材４Ｂを、表示デバイスホルダ１Ｂの中央部付近で取付基板７に点接触するように配置している。また、表示デバイスホルダ１Ｂの位置決め用被係合部を表示デバイスホルダ１Ｂの外郭周辺に配置したテーパ状の係合凹部１５Ｂとしている。さらに、係合凹部１５Ｂに係合する意匠カバー８の位置決め用係合部は係合突部２１Ｂとしている。また、上記実施の形態１における意匠カバー当たり部６を省略し、係合突部２１Ｂを係合凹部１５Ｂの内周面に当接させるようにしている。その他の構成は実施の形態１の場合と同様であり、ここではそれらの説明を省略する。
【００３４】
この表示デバイス設置構造では、意匠カバー８の取付時においては、係合突部２１Ｂが係合凹部１５Ｂ内に挿入されて係合凹部１５Ｂの内周面に圧接されることとなる。これにより、表示デバイスホルダ１Ｂが取付基板７に向けて押込まれる。同時に、係合凹部１５Ｂの中心部が係合突部２１Ｂの中心部に向けて移動するように案内され、意匠カバー８と表示デバイスホルダ１Ｂとの位置調整が行われる。
【００３５】
そして、上記と同様にして、表示デバイスホルダ１Ｂが、弾性部材４Ｂの弾性復元力により、意匠カバー８と取付基板７との間に弾性保持されて所定位置に保持された状態となる。
【００３６】
この場合、意匠カバー８の組付け時に表示デバイスホルダ１Ｂと意匠カバー８との間に多少の位置ずれがあっても、表示デバイスホルダ１Ｂのテーパ状の係合凹部１５Ｂに対する意匠カバー８の係合突部２１Ｂのガイド作用により表示デバイスホルダ１Ｂを位置ずれのない適正な位置に自動調整できる。
【００３７】
このような構成は、弾性部材４のたわみ量が少ない場合や、表示デバイスホルダ１Ｂが小物である場合に有効となる。
【００３８】
なお、上記した各実施の形態では、表示デバイス付き機器がプリンタの場合を示したが、他の機器に適用しても同様の効果を得ることができる。
【００３９】
【発明の効果】
この発明の請求項１に係る表示デバイス付き機器の表示デバイス設置構造は、表示デバイスホルダは、板部材に形成された係合穴に遊嵌して係合する複数の係合爪と、板部材に押し付けられて表示デバイスホルダを板部材から離反方向に弾性付勢する弾性部材とを有し、意匠カバーは、所定位置に取り付けられた状態で、表示デバイスホルダに形成された位置決め用被係合部に係合する位置決め用係合部を有し、前記係合爪が前記係合孔に係合した状態で、前記弾性部材の付勢力により、前記表示デバイスホルダが前記板部材に仮止め状態可能に構成され、前記意匠カバーの取付に際する押込により、前記各係合爪による前記各係合孔への係合が解除されて、前記位置決め用係合部が前記位置決め用被係合部に係合すると共に、前記表示デバイスホルダが前記弾性部材の弾性復元力により前記意匠カバーと前記板部材との間に弾性保持されたものとしているので、意匠カバーと表示デバイスとの位置合わせを容易に行うことができる。
【００４０】
この発明の請求項２に係る表示デバイス付き機器の表示デバイス設置構造は、前記板部材が、前記意匠カバーに形成された取付ピンを係合させる係合穴を有するものとしているので、板部材と意匠カバーの間の組立誤差を小さくすることができ、それだけ意匠カバーと表示デバイスとの位置合わせを容易に行うことができる。
【００４１】
この発明の請求項３に係る表示デバイス付き機器の表示デバイス設置構造は、表示デバイスホルダの位置決め用被係合部を係合穴とし、前記意匠カバーの位置決め用係合部を前記係合穴に係合するテーパピンとしているので、意匠カバーの組付け時に表示デバイスホルダと意匠カバーとの間に多少の位置ずれがあっても、係合穴に対するテーパピンのガイド作用により表示デバイスホルダを位置ずれのない適正な位置に自動調整できる。
【００４２】
この発明の請求項４に係る表示デバイス付き機器の表示デバイス設置構造は、表示デバイスホルダの位置決め用被係合部をテーパ状の係合凹部とし、前記意匠カバーの位置決め用係合部を前記係合凹部に係合する係合突部としているので、意匠カバーの組付け時に表示デバイスホルダと意匠カバーとの間に多少の位置ずれがあっても、表示デバイスホルダのテーパ状の係合凹部に対する意匠カバーの係合突部のガイド作用により表示デバイスホルダを位置ずれのない適正な位置に自動調整できる。
【００４３】
この発明の請求項５に係る表示デバイス付き機器の表示デバイス設置構造は、機器をプリンタとしているので、プリンタへの表示デバイスの設置において、意匠カバーと表示デバイスとの位置合わせを容易に行うことができる。
【図面の簡単な説明】
【図１】  （Ａ）はこの発明の実施の形態１による表示デバイス設置構造における表示デバイスホルダを上面側から見た斜視図、（Ｂ）は裏面側から見た斜視図である。
【図２】  （Ａ）〜（Ｃ）は同表示デバイスホルダの背面図、平面図および右側面図である。
【図３】  この表示デバイス設置構造の設置手順の第１工程を示す説明図である。
【図４】  同設置手順の第２工程を示す説明図である。
【図５】  同設置手順の第３工程を示す説明図である。
【図６】  この発明の実施の形態２による表示デバイス設置構造を示す要部拡大断面図である。
【図７】  （Ａ）は従来例における基板への表示デバイスホルダの取付例を示す斜視図、（Ｂ）は同取付例を基板裏面側から見た斜視図である。
【図８】  従来例における機体への意匠カバーの取付例を示す分解斜視図である。
【図９】  従来例における表示デバイスの画面エリアと表示窓との位置ずれの説明図である。
【符号の説明】
１  表示デバイスホルダ、２  表示デバイス、３  係合爪、４  弾性部材、５係合穴、７  取付基板、８  意匠カバー、９  取付基板の係合穴、１１  テーパピン、１２  表示窓、１３  固定ピン、１４  取付基板の係合穴、１５  係合凹部、２１  係合突部。
【図１】
0004091782.tif 000002
【図２】
0004091782.tif 000003
【図３】
0004091782.tif 000004
【図４】
0004091782.tif 000005
【図５】
0004091782.tif 000006
【図６】
0004091782.tif 000007
【図７】
0004091782.tif 000008
【図８】
0004091782.tif 000009
【図９】
0004091782.tif 000010